(57)【要約】【課題】枠本体が中間枠材で２つの枠部に分割されていることが判りづらい外観のカーテンウォールのパネルユニットとする。【解決手段】枠本体５内を中間枠材６で２つの枠部７に分割し、その各枠部７にパネル８を装着してグレイジングガスケットで水密し、このグレイジングガスケットは、枠本体５の内周に装着した四周連続した主グレイジングガスケット１０と、前記中間枠材６に装着されて主グレイジングガスケット１０に接した第１・第２補助グレイジングガスケット１１，１２を備え、その主グレイジングガスケット１０の枠材２に装着した部分１０ａが中間枠材６を境とした２つの枠部７に亘って連続し、枠本体５が２つの枠部７に分割されていることが判りづらい外観とする。【選択図】図１
2008285916.tif 000002
【特許請求の範囲】
【請求項１】
枠本体が中間枠材で複数の枠部に分割され、その各枠部にパネルを装着すると共に、前記枠本体および中間枠材とパネルの間はグレイジングガスケットで水密され、
前記グレイジングガスケットは、前記枠本体に装着した四周連続した主グレイジングガスケットと、前記中間枠材に装着された第１・第２補助グレイジングガスケットを備え、
前記第１・第２補助グレイジングガスケットの長手方向両端部を前記主グレイジングガスケットにおける中間枠材と対向した部分に接して各枠部を水密するようにしたことを特徴とするカーテンウォールのパネルユニット。
【請求項２】
枠本体は、パネルを装着する部分よりも室外側に突出した室外側突出部を有する請求項１記載のカーテンウォールのパネルユニット。
【請求項３】
中間枠材の長手方向両端部分に止水部材をそれぞれ取付け、
この止水部材に、前記中間枠材を境とした２つの枠部に装着したパネルをそれぞれ接し、この各パネルと止水部材に亘って主グレイジングガスケットを押しつけるようにした請求項１又は２記載のカーテンウォールのパネルユニット。
【請求項４】
枠本体の各枠材はパネル装着用の凹陥部を有し、
取付部とパネル押え部でパネル装着用の凹陥部を上下に有する中間枠材とし、
この取付部の長手方向両端部に止水部材をそれぞれ取付け、
前記中間部材を枠本体の左右の枠材に連結することで、止水部材が左右の枠材の凹陥部に嵌まり込んで主グレイジングガスケットに接し、
前記パネル押え部に装着した第１・第２補助グレイジングガスケットの長手方向両端部が、前記主グレイジングガスケットに接するようにした請求項３記載のカーテンウォールのパネルユニット。
【請求項５】
中間枠材の取付部とパネル押え部は別体で、そのパネル押え部が取付部にビスで固着して取付けられ、
前記取付部は、枠本体の左右の枠材における凹陥部よりも室内側部分に固着されるようにした請求項４記載のカーテンウォールのパネルユニット。
【発明の詳細な説明】
【技術分野】
【０００１】
本発明は、カーテンウォールのパネルユニットに関する。
【背景技術】
【０００２】
カーテンウォールに用いるパネルユニットが特許文献１に開示されている。
このパネルユニットは、左右の枠材と上枠材と下枠材を方形状に連結し、その左右の枠材に跨って中間枠材（中桟材）を連結して２つの枠部を有する枠体とし、その各枠部にパネルをグレイジングガスケットで水密してそれぞれ装着してある。
【特許文献１】特許第３８６２２３３号公報
【発明の開示】
【発明が解決しようとする課題】
【０００３】
前述した従来のパネルユニットは、各枠部と各パネルとを独立したグレイジングガスケットでそれぞれ水密しているので、そのパネルユニットを見た時に、中間枠材を境として上方と下方に四周連続したグレイジングガスケットが目視され、中間枠材によって枠体内が２つの枠部に分割されていることが明らかな外観意匠となる。
【０００４】
また、前記グレイジングガスケットは四周連続した形状で、４つのコーナー部を有し、そのコーナー部を溶着するようにした場合には高コストのコーナー溶着部を４つ有する。
前述した従来のパネルユニットにおいては、高コストのコーナー溶着部を４つ有したグレイジングガスケットを２つ用いているので、高コストのコーナー溶着部が８つとなるから、グレイジングガスケットが高価で、パネルユニット全体が高価となる。
【０００５】
また、中間枠材を左右の枠材の長手方向の任意の位置に連結すれば、２つの枠部の大きさを任意に変更できるが、その場合には枠部の大きさに見合う大きさの四周連続した２つのグレイジングガスケットを必要とする。
【０００６】
本発明の目的は、枠体内が中間枠材によって２つの枠部に分割されていることが判りづらい外観意匠であると共に、グレイジングガスケットの大きさを変更せずに２つの枠部の大きさを任意なものにでき、さらにはグレイジングガスケットを安価にできるカーテンウォールのパネルユニットを提供することである。
【課題を解決するための手段】
【０００７】
本発明は、枠本体が中間枠材で複数の枠部に分割され、その各枠部にパネルを装着すると共に、前記枠本体および中間枠材とパネルの間はグレイジングガスケットで水密され、
前記グレイジングガスケットは、前記枠本体に装着した四周連続した主グレイジングガスケットと、前記中間枠材に装着された第１・第２補助グレイジングガスケットを備え、
前記第１・第２補助グレイジングガスケットの長手方向両端部を前記主グレイジングガスケットにおける中間枠材と対向した部分に接して各枠部を水密するようにしたことを特徴とするカーテンウォールのパネルユニットである。
【０００８】
本発明においては、枠本体は、パネルを装着する部分よりも室外側に突出した室外側突出部を有するものにできる。
このようにすれば、パネルユニットを室外側から見た時に室外側突出部で枠本体が強調されて中間枠材が目立つことがなく、１つの枠部のみを有したようなスッキリとした外観とすることができる。
【０００９】
本発明においては、中間枠材の長手方向両端部分に止水部材をそれぞれ取付け、
この止水部材に、前記中間枠材を境とした２つの枠部に装着したパネルをそれぞれ接し、この各パネルと止水部材に亘って主グレイジングガスケットを押しつけるようにできる。
このようにすれば、主グレイジングガスケットにおけるパネルと接しない部分に止水部材が接するから、そのパネルと接しない部分の水密性を向上できる。
【００１０】
本発明においては、枠本体の各枠材はパネル装着用の凹陥部を有し、
取付部とパネル押え部でパネル装着用の凹陥部を上下に有する中間枠材とし、
この取付部の長手方向両端部に止水部材をそれぞれ取付け、
前記中間部材を枠本体の左右の枠材に連結することで、止水部材が左右の枠材の凹陥部に嵌まり込んで主グレイジングガスケットに接し、
前記パネル押え部に装着した第１・第２補助グレイジングガスケットの長手方向両端部が、前記主グレイジングガスケットに接するようにできる。
このようにすれば、中間枠材の取付部を左右の枠材に連結することで、止水部材が主グレイジングガスケットに接すると共に、第１・第２グレイジングガスケットが主グレイジングガスケットに接する。
【００１１】
本発明においては、中間枠材の取付部とパネル押え部は別体で、そのパネル押え部が取付部にビスで固着して取付けられ、
前記取付部は、枠本体の左右の枠材における凹陥部よりも室内側部分に固着されるようにできる。
このようにすれば、中間枠材の取付部を枠材に取付け、パネルを装着した後にパネル押え部を取付けることでパネルユニットを組み立てできるから、その作業が簡単である。
【発明の効果】
【００１２】
本発明によれば、主グレイジングガスケットが中間枠材を境とした２つの枠部に亘って連続しているから、パネルユニットを見た時に枠本体内が中間枠材で２つに分割されていることが判りづらい外観意匠である。
また、主グレイジングガスケットが枠本体の四周に連続して装着されているから、その枠本体の左右の枠材の長手方向任意の位置に中間枠材を連結することができ、グレイジングガスケットの大きさを変更せずに２つの枠部の大きさを任意なものにできる。
しかも、四周連続したグレイジングガスケットは主グレイジングガスケットのみで、第１・第２補助グレイジングガスケットは直線状で良いから、高コストのコーナー溶着部は４つであるので、グレイジングガスケットを安価にできる。
【発明を実施するための最良の形態】
【００１３】
図１に示すように、枠体１は左右の枠材２，２と上枠材３と下枠材４で方形枠形状の枠本体５と、その左右の枠材２，２間に跨って連結した中間枠材６を有し、その中間枠材６を境として上方と下方に枠部７を分割してそれぞれ有している。
前記各枠部７にはパネル８がそれぞれ装着されてパネルユニットとしてある。
このパネルユニットを建物躯体にファスナー等で取付けてカーテンウォールとする。
【００１４】
前記各パネル８と各枠部７は、前記枠本体５に装着した四周連続した主グレイジングガスケット１０と、中間枠材６に装着した第１・第２補助グレイジングガスケット１１，１２で水密されている。
前記主グレイジングガスケット１０は、左右の枠材２に装着した部分１０ａと上枠材３に装着した部分１０ｂと下枠材４に装着した部分１０ｃで四周連続した矩形状で、４つのコーナー部１０ｄを有し、その各コーナー部１０ｄは溶着によって連結されている。
この主グレイジングガスケット１０の左右の枠材２に装着した部分１０ａ，１０ａは、中間枠材６を境とした２つの枠部７，７に亘って連続している。
前記第１・第２補助グレイジングガスケット１１，１２は、その長手方向両端部が主グレイジングガスケット１０の左右の枠材２に装着した部分１０ａ，１０ａに接して各枠部７で、それぞれ四周連続するようにしてある。
【００１５】
例えば、主グレイジングガスケット１０の上枠材３に装着した部分１０ｂと、左右の枠材２に装着した部分１０ａの上枠材３寄りと、第１補助グレイジングガスケット１１が四周連続し、上の枠部７と上のパネル８との間を水密している。
前記グレイジングガスケット１０の下枠材４に装着した部分１０ｃと、左右の枠材２に装着した部分１０ａの下枠材４寄りと、第２補助グレイジングガスケット１２が四周連続し、下の枠部７と下のパネル８との間を水密している。
【００１６】
このようであるから、パネルユニットを見た時にグレイジングガスケットが中間枠材６を境とした２つの枠部７に亘って連続して見えるので、枠体１内が中間枠材６によって２つの枠部に分割されていることが判りづらい外観意匠である。
また、中間枠材６を左右の枠材２の長手方向任意の位置に連結することで、２つの枠部７の大きさを任意に変更できると共に、主グレイジングガスケット１０、第１・第２補助グレイジングガスケット１１，１２の大きさを変える必要がない。
また、四周連続しているのは主グレイジングガスケット１０の１つだけであるので、高コストのコーナー溶着部を４つ有したグレイジングガスケットは１つだけで良く、グレイジングガスケットを安価にできる。
【００１７】
図１に示す実施の形態のパネルユニットは上下に枠部７を有するようにしてあるが、左右の枠部を有するようにしても良い。
例えば、図１に示すパネルユニットを横向きとして左右に枠部７を有するパネルユニットとする。この場合には、前述の左右の枠材２，２が上枠材、下枠材となると共に、前述の上枠材３、下枠材４が左右の枠材となる。前述の中間枠材６が縦向きとなって枠体１の左右に枠部７が形成される。
【００１８】
前記各部材の具体形状を図２〜図４に基づいて説明する。
前記枠材２、上枠材３、下枠材４はパネル装着用の凹陥部２ａ，３ａ，４ａを有し、前記中間枠材６は上下にパネル装着用の凹陥部６ａを有している。
前記上枠材３の凹陥部３ａと中間枠材６の１つの凹陥部６ａと枠材２の凹陥部２ａとに亘ってパネル８が装着され、このパネル８の室外側面と凹陥部３ａ，６ａ，２ａの室外側内面との間が前述の主グレイジングガスケット１０の上半分と第１補助グレイジングガスケット１１で水密される。
前記パネル８の室内側面と凹陥部３ａ，６ａ，２ａの室内側内面との間が室内側シール材、例えば室内側グレイジングガスケット２０で水密されている。
この室内側グレイジングガスケット２０は四周連続している。
【００１９】
前記下枠材４の凹陥部４ａと中間枠材６の他の１つの凹陥部６ａと左右の枠材２の凹陥部２ａとに亘ってパネル８が装着され、このパネル８の室外側面と凹陥部４ａ，６ａ，２ａの室外側内面との間が前述の主グレイジングガスケット１０の下半分と第２補助グレイジングガスケット１２で水密される。
前記パネル８の室内側面と凹陥部４ａ，６ａ，２ａの室内側内面との間が室内側シール材、例えば室内側湿式シール材２１で水密される。
【００２０】
前記左右の枠材２、上枠材３、下枠材４は凹陥部２ａ，３ａ，４ａよりも室外側に突出した室外側突出部２ｂ，３ｂ，４ｂを有し、その各室外側突出部２ｂ，３ｂ，４ｂは四周連続して方形枠形状となっている。
このようであるから、枠体１は、パネル８よりも室外側に突出した方形状の室外側突出部２ｂ，３ｂ，４ｂを有しているので、パネルユニットを室外側から見た時に、前述のように主グレイジングガスケット１０が中間枠材６を境とした２つの枠部７に亘って連続して見えると共に、室外側突出部２ａ，３ａ，４ａによって枠本体５が強調されて目立ち、かつ中間枠材６があまり目立つことがないから、１つの枠部のみを有したようなスッキリとした外観となる。
【００２１】
前述のように、主グレイジングガスケット１０の枠体２の長手方向に亘って連続して装着した部分１０ａは、２つの枠部７に装着した２つのパネル８（室外側面）に接するが、中間枠材６の部分では２つのパネル８が存在しないので、前述の主グレイジングガスケット１０の前述の部分１０ａにおけるパネル８の存在しない部分はフリーの状態となっているから、その部分における水密性が低下する恐れがある。
そこで、この実施の形態では図２、図３に示すように中間枠材６の長手方向両端部分に止水部材３０をそれぞれ取付け、この止水部材３０を前記主グレイジングガスケット１０の枠材２に装着した部分１０ａにおけるパネル８が存在しない部分に押しつけると共に、上下のパネル８を止水部材３０に接することで、前述の中間枠材６と対向したパネル８が存在しない部分における水密性を向上した。
【００２２】
前記止水部材３０について詳細に説明する。
図２に示すように、中間枠材６を取付部４０とパネル押え部４１で凹陥部６ａを有する形状とする。例えば、室内側の取付部４０と室外側のパネル押え部４１で上下に開口した凹陥部６ａを有した形状とする。
図３に示すように、前記取付部４０の長手方向両端部を左右の枠材２における凹陥部２ａよりも室内側寄り部分２ｃにビスなどで固着し、凹陥部６ａを枠材２の凹陥部２ａと連続させると共に、パネル押え部４１を主グレイジングガスケット１０（前述の部分１０ａ）と対向、好ましくは長手方向端部を接する。
これによって、パネル押え部４１に装着した前述の第１・第２補助グレイジングガスケット１１，１２の長手方向端部を主グレイジングガスケット１０（前述の部分１０ａ）に正しく接し、その接した部分の水密性を向上できる。
【００２３】
前記取付部４０とパネル押え部４１は別体で、その取付部４０の室外側部にパネル押え部４１をビス４２で固着して取付けることで中間枠材６としてある。つまり、パネル押え部４１は押縁の役目を果たすものである。
図５に示すように、取付部４０は、本体４０ａに上下横板４０ｂ，４０ｃを一体的に設け、その上下横板４０ｂ，４０ｃ間に連結片４０ｄを一体的に設けて中空部４０ｅと凹部４０ｆを有する形状である。前記上下横板４０ｂ，４０ｃの長手方向両端部でパネル押え部４１側（室外側）に切欠き部４３を形成し、この切欠き部４３に止水部材３０を嵌め込むようにして取付ける。
この止水部材３０はゴムなどの弾力性を有して水密性に優れた材料で、室内外側方向に向かう一側縦片３１と面内方向に向かう他側縦片３２で鉤形状で、その一側縦片３１と他側縦片３２の上下中間部に亘って横片３３を一体的に設けた形状である。
そして、横片３３を上下横板４０ｂ，４０ｃ間に嵌め込んで取付け、一側・他側縦片３１，３２が上下横板４０ｂ，４０ｃよりも上下に突出し、他側縦片３２の室外側面が上下横板４０ｂ，４０ｃの室外側端面と面一である。
【００２４】
前述のように止水部材３０を取付けした取付部４０を枠材２に連結することで、その取付部４０の長手方向両端部分に取付けた止水部材３０が凹陥部２ａに挿入し、図６、図７に示すように止水部材３０（他側縦片３２）の室外側面が主グレイジングガスケット１０に接する。
前記パネル８が図６、図７に仮想線、図８に実線で示すように止水部材３０の上下面に接する。
【００２５】
前記パネル押え部４１には第１・第２補助グレイジングガスケット１１，１２が装着され、このパネル押え部４１を取付部４０の凹部４０ｆに嵌め込んで図２に示すようにビス４２で固着して取付ける。
このようにすることで、枠体１にパネル８を簡単に装着できる。
なお、取付部４０とパネル押え部４１は一体であっても良い。
【００２６】
前述の説明では、中間枠材６を１つとして枠本体５を２つの枠部７に分割したが、中間枠材６を複数設けて３つ以上の枠部７に分割しても良い。
【図面の簡単な説明】
【００２７】
【図１】本発明のパネルユニットの外観図である。
【図２】図１のＡ−Ａ拡大断面図である。
【図３】図１のＢ−Ｂ拡大断面図である。
【図４】図１のＣ−Ｃ拡大断面図である。
【図５】枠材と中間枠材の取付部と止水部材の分解斜視図である。
【図６】止水部材を取付けた取付部を枠材に取付けた状態の斜視図である。
【図７】図６の平面図である。
【図８】図７のＤ−Ｄ断面図である。
【図９】枠材と中間枠材の連結部分の斜視図である。
【符号の説明】
【００２８】
１…枠体、２…枠材、２ａ…凹陥部、２ｂ…室外側突出部、３…上枠材、３ａ…凹陥部、３ｂ…室外側突出部、４…下枠材、４ａ…凹陥部、４ｂ…室外側突出部、５…枠本体、６…中間枠材、６ａ…凹陥部、７…枠部、８…パネル、１０…主グレイジングガスケット、１１…第１補助グレイジングガスケット、１２…第２補助グレイジングガスケット、３０…止水部材、４０…取付部、４１…パネル押え部、４２…ビス。
【図１】
2008285916.tif 000003
【図２】
2008285916.tif 000004
【図３】
2008285916.tif 000005
【図４】
2008285916.tif 000006
【図５】
2008285916.tif 000007
【図６】
2008285916.tif 000008
【図７】
2008285916.tif 000009
【図８】
2008285916.tif 000010
【図９】
2008285916.tif 000011